(57)【要約】  センサ内蔵液晶パネル１１は、画素アレイ１７内に、行方向および列方向に配置された複数の画素１と複数の光センサ２を含む。光センサ２は、１行おきの画素１に対応して（例えば、偶数行目の画素１に対応して）設けられる。パネル駆動回路１６は、１ライン反転駆動を行うと共に、光センサ２から受光量に応じた信号を読み出す。光センサ２の出力は表示データの影響によって同じ方向に変化するので、光センサ２の出力に基づく画像に、画素回路３に書き込む電圧の極性切り替えに起因する縞状のノイズが発生することを防止できる。
2009125644.tif 000002
【特許請求の範囲】
【請求項１】
複数の光センサを備えた表示装置であって、
行方向および列方向に並べて配置された複数の画素および複数の光センサを含む表示パネルと、
表示データに応じた電圧を前記画素内の画素回路に書き込む動作と、受光量に応じた信号を前記光センサから読み出す動作とを行う駆動回路とを備え、
前記光センサの全部または大部分は、前記画素を配置位置によって第１群と第２群に分けたときに、前記第１群の画素に対応して設けられ、
前記駆動回路は、前記第１群の画素と前記第２群の画素との間で前記画素回路に書き込む電圧の極性を切り替え、前記第１群の画素に対応した光センサから前記信号を読み出すことを特徴とする、表示装置。
【請求項２】
前記光センサの全部または大部分は、前記画素の行を配置順に従って所定数ごとに第１の行と第２の行に分けたときに、前記第１の行内の画素に対応して設けられ、
前記駆動回路は、前記第１の行内の画素と前記第２の行内の画素との間で前記画素回路に書き込む電圧の極性を切り替え、前記第１の行内の画素に対応した光センサから前記信号を読み出すことを特徴とする、請求項１に記載の表示装置。
【請求項３】
前記光センサの全部または大部分は、１行おきの前記画素に対応して設けられ、
前記駆動回路は、前記画素回路に書き込む電圧の極性を１行ごとに切り替え、１行おきの前記画素に対応した光センサから前記信号を読み出すことを特徴とする、請求項２に記載の表示装置。
【請求項４】
前記光センサは、前記第１の行内の画素の全部に対応して設けられていることを特徴とする、請求項２に記載の表示装置。
【請求項５】
前記光センサは、前記第１の行内の画素のうち、行方向に所定数おきの画素に対応して設けられていることを特徴とする、請求項２に記載の表示装置。
【請求項６】
前記光センサの全部が、前記第１の行内の画素に対応して設けられていることを特徴とする、請求項２に記載の表示装置。
【請求項７】
前記光センサの全部または大部分は、前記画素の位置を市松模様状に第１の位置と第２の位置に分けたときに、前記第１の位置にある画素に対応して設けられ、
前記駆動回路は、前記第１の位置にある画素と前記第２の位置にある画素との間で前記画素回路に書き込む電圧の極性を切り替え、前記第１の位置にある画素に対応した光センサから前記信号を読み出すことを特徴とする、請求項１に記載の表示装置。
【請求項８】
前記光センサは、前記第１の位置にある画素の全部に対応して設けられていることを特徴とする、請求項７に記載の表示装置。
【請求項９】
前記光センサの全部が、前記第１の位置にある画素に対応して設けられていることを特徴とする、請求項７に記載の表示装置。
【請求項１０】
行方向および列方向に並べて配置された複数の画素および複数の光センサを含む表示パネルと、前記表示パネルを駆動する駆動回路とを備え、前記画素を配置位置によって第１群と第２群に分けたときに、前記光センサの全部または大部分が前記第１群の画素に対応して設けられている表示装置の駆動方法であって、
前記駆動回路を用いて、前記第１群の画素と前記第２群の画素との間で極性を切り替えながら、表示データに応じた電圧を前記画素内の画素回路に書き込むステップと、
前記駆動回路を用いて、前記第１群の画素に対応した光センサから受光量に応じた信号を読み出すステップとを備えた、表示装置の駆動方法。
【発明の詳細な説明】
【技術分野】
【０００１】
本発明は、表示装置に関し、特に、表示パネルに複数の光センサを設けた表示装置に関する。
【背景技術】
【０００２】
近年、指やペンなどで画面に触れることにより操作可能な電子機器が普及している。また、表示画面内のタッチ位置を検出する方法として、表示パネルに複数の光センサを設け、指などが画面に接近したときにできる影像を光センサを用いて検知する方法が知られている。影像を検知する方法では、外光の照度が低い（周囲が暗い）ときに、光センサで得られた画像内で影像と背景の区別が困難になり、タッチ位置を正しく検出できないことがある。そこで、バックライトを備えた表示装置については、バックライト光が指に当たったときの反射像を光センサを用いて検知する方法も知られている。【０００３】
また、光センサの出力に基づく画像（以下、スキャン画像という）をそのまま出力すれば、表示装置を画像入力装置として使用することができる。例えば、複数の光センサを設けた液晶パネルを携帯電話のディスプレイとして使用する場合、液晶パネルの表面に名刺をかざして、画像入力指示を与えることにより、名刺画像を液晶パネル経由で携帯電話に取り込むことができる。【０００４】
表示パネルに複数の光センサを設けた表示装置については、従来から以下のような技術が知られている。特許文献１には、表示領域を複数の処理ブロックに分割し、処理ブロックごとに複数の光センサを設け、各処理ブロック内の光センサの特性を測定して記憶し、記憶した特性に基づくプリチャージ信号を光センサに供給する平面表示装置が記載されている。また、特許文献２には、画素電極に正極性電圧と負極性電圧を切り替えて印加し、正極性電圧の印加状態から負極性電圧の印加状態に変化した画素電極に隣接して配置された受光素子の受信信号に基づき、表示面に接触または近接した状態を検出する表示装置が記載されている。
【特許文献１】日本国特開２００７−１０２１５４号公報
【特許文献２】日本国特開２００７−４７９９１号公報
【発明の開示】
【発明が解決しようとする課題】
【０００５】
上記のような光センサ付き表示装置では、表示パネルに設けられた画素回路と光センサの間にカップリング容量が発生するために、スキャン画像に表示画像が映り込む現象が起こる。このため、必要に応じて、映り込んだ表示画像をスキャン画像から除去する処理が行われる。【０００６】
ところが、表示画像の映り込みの程度は、画素回路に書き込む電圧の極性に依存する。このため、光センサ付き表示装置では、画素回路に書き込む電圧の極性の影響によってスキャン画像にノイズが発生することがある。例えば１ライン反転駆動を行う光センサ付き液晶表示装置では、映り込みの程度が１ラインごとに変化するので、スキャン画像に１ライン幅の縞状のノイズが発生する。図１６は、縞状のノイズを含むスキャン画像の例を示す図である。図１６に示すスキャン画像は、文字Ａを表示した状態で得られたものであり、指の影像を含んでいる。このスキャン画像には、文字Ａの映り込みと縞状のノイズが発生している。【０００７】
図１７を参照して、縞状のノイズが発生する理由を説明する。図１７は、液晶パネルの一部を示す回路図である。図１７において、画素回路９１と光センサ９２は画素アレイ内に配置され、センサ出力アンプ９３は画素アレイ外に設けられる。画素回路９１と光センサ９２は画素アレイ内に近接して配置されるので、画素回路９１内の節点Ｘ（ＴＦＴ（Thin Film Transistor）９４と液晶容量９５の接続点）と光センサ９２内の節点Ｙ（コンデンサ９６、フォトダイオード９７およびセンサプリアンプ９８の接続点）との間にカップリング容量９０が発生する。【０００８】
１ライン反転駆動を行うときには、例えば、奇数行目の画素回路９１内の節点Ｘには正極性電圧が書き込まれ、偶数行目の画素回路９１内の節点Ｘには負極性電圧が書き込まれる。節点Ｘ、Ｙ間にカップリング容量９０が存在するので、節点Ｙの電圧は、節点Ｘに正極性電圧が書き込まれたときには高くなり、節点Ｘに負極性電圧が書き込まれたときには低くなる。このため、節点Ｙの電圧は、奇数行目の画素回路９１に対応した光センサ９２では高くなり、偶数行目の画素回路９１に対応した光センサ９２では低くなる。また、節点Ｙの電圧は、奇数行目の画素回路９１に対応した光センサ９２では低くなり、偶数行目の画素回路９１に対応した光センサ９２では高くなることもある。このように、節点Ｙの電圧が高くなる行と節点Ｙの電圧が低くなる行とが画素アレイ内に交互に現れるので、スキャン画像には１ライン幅の縞状のノイズが発生する。【０００９】
このような縞状のノイズを含むスキャン画像に基づきタッチ位置を検出した場合には、タッチ位置の検出精度が低下する。また、表示装置を用いて画像を入力した場合には、ノイズを含む画像しか入力できない。同様の現象は、ドット反転駆動を行う光センサ付き液晶表示装置でも起こり得る。【００１０】
それ故に、本発明は、書き込み電圧の極性切り替えに起因するノイズがスキャン画像に発生することを防止した表示装置を提供することを目的とする。
【課題を解決するための手段】
【００１１】
本発明の第１の局面は、複数の光センサを備えた表示装置であって、
行方向および列方向に並べて配置された複数の画素および複数の光センサを含む表示パネルと、
表示データに応じた電圧を前記画素内の画素回路に書き込む動作と、受光量に応じた信号を前記光センサから読み出す動作とを行う駆動回路とを備え、
前記光センサの全部または大部分は、前記画素を配置位置によって第１群と第２群に分けたときに、前記第１群の画素に対応して設けられ、
前記駆動回路は、前記第１群の画素と前記第２群の画素との間で前記画素回路に書き込む電圧の極性を切り替え、前記第１群の画素に対応した光センサから前記信号を読み出すことを特徴とする。【００１２】
本発明の第２の局面は、本発明の第１の局面において、
前記光センサの全部または大部分は、前記画素の行を配置順に従って所定数ごとに第１の行と第２の行に分けたときに、前記第１の行内の画素に対応して設けられ、
前記駆動回路は、前記第１の行内の画素と前記第２の行内の画素との間で前記画素回路に書き込む電圧の極性を切り替え、前記第１の行内の画素に対応した光センサから前記信号を読み出すことを特徴とする。【００１３】
本発明の第３の局面は、本発明の第２の局面において、
前記光センサの全部または大部分は、１行おきの前記画素に対応して設けられ、
前記駆動回路は、前記画素回路に書き込む電圧の極性を１行ごとに切り替え、１行おきの前記画素に対応した光センサから前記信号を読み出すことを特徴とする。【００１４】
本発明の第４の局面は、本発明の第２の局面において、
前記光センサは、前記第１の行内の画素の全部に対応して設けられていることを特徴とする。【００１５】
本発明の第５の局面は、本発明の第２の局面において、
前記光センサは、前記第１の行内の画素のうち、行方向に所定数おきの画素に対応して設けられていることを特徴とする。【００１６】
本発明の第６の局面は、本発明の第２の局面において、
前記光センサの全部が、前記第１の行内の画素に対応して設けられていることを特徴とする。【００１７】
本発明の第７の局面は、本発明の第１の局面において、
前記光センサの全部または大部分は、前記画素の位置を市松模様状に第１の位置と第２の位置に分けたときに、前記第１の位置にある画素に対応して設けられ、
前記駆動回路は、前記第１の位置にある画素と前記第２の位置にある画素との間で前記画素回路に書き込む電圧の極性を切り替え、前記第１の位置にある画素に対応した光センサから前記信号を読み出すことを特徴とする。【００１８】
本発明の第８の局面は、本発明の第７の局面において、
前記光センサは、前記第１の位置にある画素の全部に対応して設けられていることを特徴とする。【００１９】
本発明の第９の局面は、本発明の第７の局面において、
前記光センサの全部が、前記第１の位置にある画素に対応して設けられていることを特徴とする。【００２０】
本発明の第１０の局面は、行方向および列方向に並べて配置された複数の画素および複数の光センサを含む表示パネルと、前記表示パネルを駆動する駆動回路とを備え、前記画素を配置位置によって第１群と第２群に分けたときに、前記光センサの全部または大部分が前記第１群の画素に対応して設けられている表示装置の駆動方法であって、
前記駆動回路を用いて、前記第１群の画素と前記第２群の画素との間で極性を切り替えながら、表示データに応じた電圧を前記画素内の画素回路に書き込むステップと、
前記駆動回路を用いて、前記第１群の画素に対応した光センサから受光量に応じた信号を読み出すステップとを備える。
【発明の効果】
【００２１】
本発明の第１または第１０の局面によれば、第１群の画素内の画素回路には同じ極性の電圧が書き込まれ、第１群の画素に対応した光センサから信号が読み出されるので、光センサの出力は表示データの影響によって同じ方向に変化する。したがって、光センサの出力に基づくスキャン画像に、画素回路に書き込む電圧の極性切り替えに起因するノイズが発生することを防止することができる。このため、スキャン画像に基づき高い精度でタッチ位置を検出したり、ノイズを抑制した画像を入力したりすることができる。また、一部の画素に対応して光センサを設けることにより、表示装置の回路量を削減することができる。【００２２】
本発明の第２の局面によれば、第１の行内の画素の画素回路には同じ極性の電圧が書き込まれ、第１の行内の画素に対応した光センサから信号が読み出されるので、光センサの出力は表示データの影響によって同じ方向に変化する。したがって、所定数ラインを単位としたライン反転駆動を行う表示装置において、書き込み電圧の極性切り替えに起因する所定数ライン幅の縞状のノイズを含まないスキャン画像を得ることができる。【００２３】
本発明の第３の局面によれば、１ライン反転駆動を行う表示装置において、書き込み電圧の極性切り替えに起因する１ライン幅の縞状のノイズを含まないスキャン画像を得ることができる。【００２４】
本発明の第４の局面によれば、第１群の行内のすべての画素に対応して光センサを設けることにより、表示パネルと同じ行方向画素数を有し、書き込み電圧の極性切り替えに起因する縞状のノイズを含まないスキャン画像を得ることができる。【００２５】
本発明の第５の局面によれば、第１群の行内の一部の画素に対応して光センサを設けることにより、表示装置の回路量を削減することができる。【００２６】
本発明の第６の局面によれば、すべての光センサを第１群の行内の画素に対応して設けることにより、すべての光センサの出力に基づく、書き込み電圧の極性切り替えに起因する縞状のノイズを含まないスキャン画像を得ることができる。【００２７】
本発明の第７の局面によれば、第１の位置にある画素の画素回路には同じ極性の電圧が書き込まれ、第１の位置にある画素に対応した光センサから信号が読み出されるので、光センサの出力は表示データの影響によって同じ方向に変化する。したがって、ドット反転駆動を行う表示装置において、書き込み電圧の極性切り替えに起因するノイズを含まないスキャン画像を得ることができる。【００２８】
本発明の第８の局面によれば、市松模様の一方の色と同じ位置にあるすべての画素に対応して光センサを設けることにより、表示パネルの半分の画素数を有し、書き込み電圧の極性切り替えに起因するノイズを含まないスキャン画像を得ることができる。【００２９】
本発明の第９の局面によれば、すべての光センサを市松模様の一方の色と同じ位置にある画素に対応して設けることにより、すべての光センサの出力に基づく、書き込み電圧の極性切り替えに起因するノイズを含まないスキャン画像を得ることができる。
【図面の簡単な説明】
【００３０】
【図１】本発明の第１の実施形態に係る液晶表示装置の構成を示すブロック図である。
【図２】図１に示す装置の液晶パネルの詳細な構成を示すブロック図である。
【図３】図１に示す装置の液晶パネルにおける光センサの配置位置を示す図である。
【図４】図１に示す装置の動作を示す図である。
【図５】図１に示す装置のタイミングチャートである。
【図６】図１に示す装置の液晶パネルの断面とバックライトの配置位置を示す図である。
【図７Ａ】図１に示す装置における影像を検知する方法の原理を示す図である。
【図７Ｂ】図１に示す装置における反射像を検知する方法の原理を示す図である。
【図８Ａ】図１に示す装置で得られた、指の影像を含むスキャン画像の例を示す図である。
【図８Ｂ】図１に示す装置で得られた、指の影像と指の腹の反射像を含む他のスキャン画像の例を示す図である。
【図９】本発明の第１の実施形態の変形例に係る液晶表示装置の液晶パネルにおける光センサの配置位置を示す図である。
【図１０】本発明の第２の実施形態に係る液晶表示装置の液晶パネルにおける光センサの配置位置の第１の例を示す図である。
【図１１】本発明の第２の実施形態に係る液晶表示装置の液晶パネルにおける光センサの配置位置の第２の例を示す図である。
【図１２】本発明の第２の実施形態に係る液晶表示装置の液晶パネルにおける光センサの配置位置の第３の例を示す図である。
【図１３】本発明の第２の実施形態に係る液晶表示装置の液晶パネルにおける光センサの配置位置の第４の例を示す図である。
【図１４】本発明の第２の実施形態に係る液晶表示装置の液晶パネルにおける光センサの配置位置の第５の例を示す図である。
【図１５】本発明の第２の実施形態に係る液晶表示装置の液晶パネルにおける光センサの配置位置の第６の例を示す図である。
【図１６】縞状のノイズを含むスキャン画像の例を示す図である。
【図１７】液晶パネルの一部を示す回路図である。
【符号の説明】
【００３１】
１…画素
２…光センサ
３…画素回路
１０…液晶表示装置
１１…センサ内蔵液晶パネル
１２…表示データ処理部
１３…Ａ／Ｄ変換器
１４…センサデータ処理部
１５…バックライト
１６…パネル駆動回路
１７、１８、６１〜６６…画素アレイ
２４…フォトダイオード
５１…外光
５２…バックライト光
５３…対象物
【発明を実施するための最良の形態】
【００３２】
（第１の実施形態）
図１は、本発明の第１の実施形態に係る液晶表示装置の構成を示すブロック図である。図１に示す液晶表示装置１０は、センサ内蔵液晶パネル１１、表示データ処理部１２、Ａ／Ｄ変換器１３、センサデータ処理部１４、および、バックライト１５を備えている。センサ内蔵液晶パネル１１（以下、液晶パネル１１という）はパネル駆動回路１６と画素アレイ１７を含み、画素アレイ１７は２次元状に配置された複数の画素１と複数の光センサ２を含んでいる。各画素１は、赤色、緑色および青色に対応した３個の画素回路を含んでいる。以下、ｍを２以上の偶数、ｎを２以上の整数とし、ｍ／２をｓと記載する。【００３３】
液晶表示装置１０には、外部から表示データＤ１が入力される。表示データ処理部１２は、表示データＤ１に対して必要に応じて色補正処理やフレームレート変換処理などを行い、表示データＤ２を出力する。パネル駆動回路１６は、液晶パネル１１の画素１内の画素回路に表示データＤ２に応じた電圧を書き込む。これにより、液晶パネル１１には表示データＤ２に基づく画像が表示される。【００３４】
バックライト１５は、バックライト電源回路（図示せず）から供給された電源電圧に基づき、液晶パネル１１の背面に光（バックライト光）を照射する。バックライト１５は、例えば白色ＬＥＤ（Light Emitting Diode）で構成される。なお、バックライト１５の構成は任意でよく、赤色、緑色および青色ＬＥＤを組み合わせて、あるいは、冷陰極管（ＣＣＦＬ：Cold Cathode Fluorescent Lamp ）でバックライト１５を構成してもよい。【００３５】
パネル駆動回路１６は、画素１内の画素回路に電圧を書き込む動作に加えて、光センサ２から受光量に応じた電圧を読み出す動作を行う。光センサ２の出力信号は、センサ出力信号ＳＳとして液晶パネル１１の外部に出力される。Ａ／Ｄ変換器１３は、アナログのセンサ出力信号ＳＳをデジタル信号に変換する。センサデータ処理部１４は、Ａ／Ｄ変換器１３から出力されたデジタル信号に基づき、デジタル画像（スキャン画像）を生成する。このスキャン画像には、液晶パネル１１の表面付近にある検知すべき物体（例えば、指やペンなど。以下、対象物という）の像が含まれていることがある。センサデータ処理部１４は、スキャン画像に対して対象物を検知するための画像認識処理を行い、スキャン画像内での対象物の位置を求め、タッチ位置を示す座標データＣｏを出力する。あるいは、センサデータ処理部１４は、スキャン画像をそのまま液晶表示装置１０の外部に出力してもよい。【００３６】
図２は、液晶パネル１１の詳細な構成を示すブロック図である。図２に示すように、画素アレイ１７は、ｍ本の走査信号線Ｇ１〜Ｇｍ、３ｎ本のデータ信号線ＳＲ１〜ＳＲｎ、ＳＧ１〜ＳＧｎ、ＳＢ１〜ＳＢｎ、および、（ｍ×３ｎ）個の画素回路３を備えている。これに加えて画素アレイ１７は、（ｓ×ｎ）個の光センサ２、ｓ本のセンサ読み出し線ＲＷｔ（ｔは２以上ｍ以下の偶数）、および、ｓ本のセンサリセット線ＲＳｔを備えている。液晶パネル１１は、多結晶シリコンを用いて形成される。【００３７】
走査信号線Ｇ１〜Ｇｍは、互いに平行に配置される。データ信号線ＳＲ１〜ＳＲｎ、ＳＧ１〜ＳＧｎ、ＳＢ１〜ＳＢｎは、走査信号線Ｇ１〜Ｇｍと直交するように互いに平行に配置される。センサ読み出し線ＲＷｔとセンサリセット線ＲＳｔは、走査信号線Ｇ１〜Ｇｍと平行に配置される。【００３８】
画素回路３は、走査信号線Ｇ１〜Ｇｍとデータ信号線ＳＲ１〜ＳＲｎ、ＳＧ１〜ＳＧｎ、ＳＢ１〜ＳＢｎの交点近傍に１個ずつ設けられる。画素回路３は、列方向（図２では縦方向）にｍ個ずつ、行方向（図２では横方向）に３ｎ個ずつ、全体として２次元状に配置される。画素回路３は、何色のカラーフィルタを設けるかによって、Ｒ画素回路３ｒ、Ｇ画素回路３ｇおよびＢ画素回路３ｂに分類される。これら３種類の画素回路は、Ｒ、Ｇ、Ｂの順に行方向に並べて配置され、３個で１個の画素１を形成する。このように液晶パネル１１は、行方向および列方向に配置された（ｍ×ｎ）個の画素１を含んでいる。【００３９】
画素回路３は、ＴＦＴ２１と液晶容量２２を含んでいる。ＴＦＴ２１のゲート端子は走査信号線Ｇｉ（ｉは１以上ｍ以下の整数）に接続され、ソース端子はデータ信号線ＳＲｊ、ＳＧｊ、ＳＢｊ（ｊは１以上ｎ以下の整数）のいずれかに接続され、ドレイン端子は液晶容量２２の一方の電極に接続される。液晶容量２２の他方の電極には、共通電極電圧が印加される。以下、Ｇ画素回路３ｇに接続されたデータ信号線ＳＧ１〜ＳＧｎをＧデータ信号線、Ｂ画素回路３ｂに接続されたデータ信号線ＳＢ１〜ＳＢｎをＢデータ信号線という。なお、画素回路３は補助容量を含んでいてもよい。【００４０】
画素回路３の光透過率（サブ画素の輝度）は、画素回路３に書き込まれた電圧によって定まる。走査信号線Ｇｉとデータ信号線ＳＸｊ（ＸはＲ、Ｇ、Ｂのいずれか）に接続された画素回路３にある電圧を書き込むためには、走査信号線Ｇｉにハイレベル電圧（ＴＦＴ２１をオン状態にする電圧）を印加し、データ信号線ＳＸｊに書き込むべき電圧を印加すればよい。表示データＤ２に応じた電圧を画素回路３に書き込むことにより、サブ画素の輝度を所望のレベルに設定することができる。【００４１】
図３は、液晶パネル１１における光センサ２の配置位置を示す図である。上述したように、液晶パネル１１の画素アレイ１７には、（ｍ×ｎ）個の画素１と（ｓ×ｎ）個の光センサ２が配置される。画素アレイ１７内の光センサ２の個数は、画素１の個数の半分である。光センサ２は、図３に示すように、画素アレイ１７内の偶数行目のすべての画素１に対応して１個ずつ設けられる。このように光センサ２は、１行おきの画素１に対応して設けられる。また、すべての光センサ２は、偶数行目の画素１に対応して設けられる。【００４２】
再び図２を参照すると、光センサ２は、コンデンサ２３、フォトダイオード２４およびセンサプリアンプ２５を含んでいる。コンデンサ２３の一方の電極は、フォトダイオード２４のカソード端子に接続される（以下、この接続点を節点Ｐという）。コンデンサ２３の他方の電極はセンサ読み出し線ＲＷｔに接続され、フォトダイオード２４のアノード端子はセンサリセット線ＲＳｔに接続される。センサプリアンプ２５は、ゲート端子が節点Ｐに接続され、ドレイン端子がＢデータ信号線ＳＢｊ接続され、ソース端子がＧデータ信号線ＳＧｊに接続されたＴＦＴで構成される。【００４３】
センサ読み出し線ＲＷｔやＢデータ信号線ＳＢｊなどに接続された光センサ２で光量を検知するためには、センサ読み出し線ＲＷｔとセンサリセット線ＲＳｔに所定の電圧を印加し、Ｂデータ信号線ＳＢｊに電源電圧ＶＤＤを印加すればよい。センサ読み出し線ＲＷｔとセンサリセット線ＲＳｔに所定の電圧を印加した後、フォトダイオード２４に光が入射すると、入射光量に応じた電流がフォトダイオード２４に流れ、節点Ｐの電圧は流れた電流の分だけ低下する。そのタイミングでセンサ読み出し線ＲＷｔに高い電圧を印加することで節点Ｐの電圧を持ち上げ、センサプリアンプ２５のゲート電圧を閾値以上にした上でＢデータ信号線ＳＢｊに電源電圧ＶＤＤを印加すると、節点Ｐの電圧はセンサプリアンプ２５で増幅され、Ｇデータ信号線ＳＧｊには増幅後の電圧が出力される。したがって、Ｇデータ信号線ＳＧｊの電圧に基づき、光センサ２で検知された光量を求めることができる。【００４４】
画素アレイ１７の周辺には、走査信号線駆動回路３１、データ信号線駆動回路３２、センサ行駆動回路３３、ｐ個（ｐは１以上ｎ以下の整数）のセンサ出力アンプ３４、および、複数のスイッチ３５〜３８が設けられる。走査信号線駆動回路３１、データ信号線駆動回路３２およびセンサ行駆動回路３３は、図１ではパネル駆動回路１６に相当する。これらの回路は、画素１内の画素回路３に信号（表示データに応じた電圧信号）を書き込む動作と、光センサ２から信号（受光量に応じた電圧信号）を読み出す動作とを行う。この際、データ信号線駆動回路３２は、画素回路３に書き込む電圧の極性をフレームごとおよび１ラインごとに切り替えるフレーム反転／１ライン反転駆動を行う。１ライン反転駆動では、奇数行目の画素１と偶数行目の画素１との間で、画素回路３に書き込む電圧の極性が切り替えられる。【００４５】
データ信号線駆動回路３２は、３ｎ本のデータ信号線に対応して３ｎ個の出力端子を有する。Ｇデータ信号線ＳＧ１〜ＳＧｎとこれに対応したｎ個の出力端子との間にはスイッチ３５が１個ずつ設けられ、Ｂデータ信号線ＳＢ１〜ＳＢｎとこれに対応したｎ個の出力端子との間にはスイッチ３６が１個ずつ設けられる。Ｇデータ信号線ＳＧ１〜ＳＧｎはｐ本ずつのグループに分けられ、グループ内でｋ番目（ｋは１以上ｐ以下の整数）のＧデータ信号線とｋ番目のセンサ出力アンプ３４の入力端子との間にはスイッチ３７が１個ずつ設けられる。Ｂデータ信号線ＳＢ１〜ＳＢｎと電源電圧ＶＤＤとの間にはスイッチ３８が１個ずつ設けられる。図２に含まれるスイッチ３５〜３８の個数はいずれもｎ個である。【００４６】
図４は、液晶表示装置１０の動作を示す図である。図４において、画素アレイ１７内に描かれた矩形は画素１を表し、ハッチングされた矩形は偶数行目の画素１（対応する光センサ２を有する画素１）を表す。また、矩形内に記載された文字は、画素１内の画素回路３に書き込まれた電圧の極性を表す。【００４７】
パネル駆動回路１６は、奇数番目フレーム時間か偶数番目フレーム時間かに応じて異なる動作を行う。奇数番目フレーム時間では、パネル駆動回路１６は、奇数行目の画素１内の画素回路３には正極性電圧を書き込み、偶数行目の画素１内の画素回路３には負極性電圧を書き込む。奇数番目フレーム時間では、パネル駆動回路１６は、画素アレイ１７内の光センサ２からの読み出しも行う。光センサ２は１行おきの画素１に対応して設けられているので、パネル駆動回路１６は１行おきの画素１に対応した光センサ２から読み出しを行えばよい。【００４８】
偶数番目フレーム時間では、パネル駆動回路１６は、奇数行目の画素１内の画素回路３には負極性電圧を書き込み、偶数行目の画素１内の画素回路３には正極性電圧を書き込む。偶数番目フレーム時間では、パネル駆動回路１６は、画素アレイ１７内の光センサ２からの読み出しを行わない。【００４９】
書き込みを行うときには、スイッチ３５、３６はオン状態、スイッチ３７、３８はオフ状態となり、走査信号線駆動回路３１とデータ信号線駆動回路３２が動作する。走査信号線駆動回路３１は、タイミング制御信号Ｃ１に従い、走査信号線Ｇ１〜Ｇｍの中から１ライン時間ごとに１本の走査信号線を選択し、選択した走査信号線にはハイレベル電圧を印加し、残りの走査信号線にはローレベル電圧を印加する。データ信号線駆動回路３２は、表示データ処理部１２から出力された表示データＤＲ、ＤＧ、ＤＢに基づき、データ信号線ＳＲ１〜ＳＲｎ、ＳＧ１〜ＳＧｎ、ＳＢ１〜ＳＢｎを線順次方式で駆動する。より詳細には、データ信号線駆動回路３２は、表示データＤＲ、ＤＧ、ＤＢを少なくとも１行分ずつ記憶し、１ライン時間ごとに１行分の表示データに応じた電圧をデータ信号線ＳＲ１〜ＳＲｎ、ＳＧ１〜ＳＧｎ、ＳＢ１〜ＳＢｎに印加する。なお、データ信号線駆動回路３２は、データ信号線ＳＲ１〜ＳＲｎ、ＳＧ１〜ＳＧｎ、ＳＢ１〜ＳＢｎを点順次方式で駆動してもよい。【００５０】
読み出しを行うときには、スイッチ３５、３６はオフ状態、スイッチ３８はオン状態となり、スイッチ３７はＧデータ信号線ＳＧ１〜ＳＧｎがグループごとに順にセンサ出力アンプ３４の入力端子に接続されるように時分割でオン状態となり、センサ行駆動回路３３とセンサ出力アンプ３４が動作する。センサ行駆動回路３３は、タイミング制御信号Ｃ２に従い、センサ読み出し線ＲＷｔとセンサリセット線ＲＳｔの中から１ライン時間ごとに信号線を１本ずつ選択し、選択したセンサ読み出し線とセンサリセット線には所定の読み出し用電圧とリセット用電圧を印加し、それ以外の信号線には選択時と異なる電圧を印加する。センサ出力アンプ３４は、スイッチ３７によって選択された電圧を増幅し、センサ出力信号ＳＳ１〜ＳＳｐとして出力する。【００５１】
図５は、液晶表示装置１０のタイミングチャートである。図５に示すように、垂直同期信号ＶＳＹＮＣは１フレーム時間ごとにハイレベルになる。奇数番目フレーム時間では、各ライン時間の前半部において、走査信号線Ｇｉの電圧がハイレベルになり、スイッチ３５、３６がオン状態になり、データ信号線ＳＲ１〜ＳＲｎ、ＳＧ１〜ＳＧｎ、ＳＢ１〜ＳＢｎには、走査信号線Ｇｉに接続された３ｎ個の画素回路３に書き込むべき電圧が印加される。また、奇数番目フレーム時間では、各偶数ライン時間の後半部において、スイッチ３８がオン状態になり、スイッチ３７は時分割でオン状態になる。このため、Ｂデータ信号線ＳＢ１〜ＳＢｎには電源電圧ＶＤＤが固定的に印加され、Ｇデータ信号線ＳＧ１〜ＳＧｎは時分割でセンサ出力アンプ３４の入力端子に接続される。【００５２】
偶数番目フレーム時間では、奇数番目フレーム時間と同様に、各ライン時間の前半部において、走査信号線Ｇｉの電圧がハイレベルになり、スイッチ３５、３６がオン状態になり、データ信号線ＳＲ１〜ＳＲｎ、ＳＧ１〜ＳＧｎ、ＳＢ１〜ＳＢｎには、走査信号線Ｇｉに接続された３ｎ個の画素回路３に書き込むべき電圧が印加される。一方、偶数番目フレーム時間では、光センサ３からの読み出しは行われない。【００５３】
図６は、液晶パネル１１の断面とバックライト１５の配置位置を示す図である。液晶パネル１１は、２枚のガラス基板４１ａ、４１ｂの間に液晶層４２を挟み込んだ構造を有する。一方のガラス基板４１ａには遮光膜４３、３色のカラーフィルタ４４ｒ、４４ｇ、４４ｂ、対向電極４５などが設けられ、他方のガラス基板４１ｂには画素電極４６、データ信号線４７、光センサ２などが設けられる。ガラス基板４１ａ、４１ｂの対向する面には配向膜４８が設けられ、他方の面には偏光板４９が設けられる。液晶パネル１１の２枚の面のうちガラス基板４１ａ側の面が表面になり、ガラス基板４１ｂ側の面が背面になる。バックライト１５は、液晶パネル１１の背面側に設けられる。図６に示す例では、光センサ２に含まれるフォトダイオード２４は、青色カラーフィルタ４４ｂを設けた画素電極４６の近傍に設けられている。【００５４】
液晶表示装置１０は、表示画面内のタッチ位置を検知するときに、影像を検知する方法と反射像（あるいは、影像と反射像の両方）を検知する方法のいずれかを使用する。図７Ａは影像を検知する方法の原理を示す図であり、図７Ｂは反射像を検知する方法の原理を示す図である。影像を検知する方法（図７Ａ）では、フォトダイオード２４を含む光センサ２は、ガラス基板４１ａや液晶層４２などを透過した外光５１を検知する。このときに指などの対象物５３が液晶パネル１１の表面付近にあると、光センサ２に入射すべき外光５１が対象物５３によって遮られる。したがって、光センサ２を用いて、外光５１による対象物５３の影像を検知することができる。【００５５】
反射像を検知する方法（図７Ｂ）では、フォトダイオード２４を含む光センサ２は、バックライト光５２の反射光を検知する。より詳細には、バックライト１５から出射されたバックライト光５２は、液晶パネル１１を透過して液晶パネル１１の表面から外部に出る。このときに対象物５３が液晶パネル１１の表面付近にあると、バックライト光５２は対象物５３で反射する。例えば、人間の指の腹は光をよく反射する。バックライト光５２の反射光は、ガラス基板４１ａや液晶層４２などを透過して光センサ２に入射する。したがって、光センサ２を用いて、バックライト光５２による対象物５３の反射像を検知することができる。【００５６】
また、上記２つの方法を併用すれば、影像と反射像の両方を検知することができる。すなわち、光センサ２を用いて、外光５１による対象物５３の影像と、バックライト光５２による対象物５３の反射像とを同時に検知することができる。【００５７】
図８Ａおよび図８Ｂは、指の像を含むスキャン画像の例を示す図である。図８Ａに示すスキャン画像は指の影像を含み、図８Ｂに示すスキャン画像は指の影像と指の腹の反射像を含む。センサデータ処理部１４は、このようなスキャン画像に対して画像認識処理を行い、タッチ位置を示す座標データＣｏを出力するか、あるいは、スキャン画像をそのまま液晶表示装置１０の外部に出力する。【００５８】
以下、本実施形態に係る液晶表示装置１０の効果を説明する。図１６および図１７を参照して説明したように、１ライン反転駆動を行う従来の光センサ付き液晶表示装置には、画素回路に書き込む電圧の極性の影響によってスキャン画像に縞状のノイズが発生するという問題がある。【００５９】
これに対して本実施形態に係る液晶表示装置１０では、光センサ２は偶数行目の画素１に対応して設けられ、データ信号線駆動回路３２は１ライン反転駆動を行う。また、光センサ２からの読み出しは奇数番目フレーム時間の偶数ライン時間の後半部で行われ、その直前の偶数ライン時間の前半部では偶数行目の画素１内の画素回路３に負極性電圧が書き込まれる。【００６０】
このように液晶表示装置１０では、偶数行目の画素１内の画素回路３には同じ極性の電圧（ここでは、負極性電圧）が書き込まれた後に、偶数行目の画素１に対応した光センサ２から受光量に応じた信号が読み出されるので、光センサ２の出力は表示データの影響によって同じ方向に変化する（ここでは、低くなる）。したがって、本実施形態に係る液晶表示装置１０によれば、光センサ２の出力に基づくスキャン画像に、画素回路３に書き込む電圧の極性切り替えに起因する縞状のノイズが発生することを防止することができる。よって、スキャン画像に基づき高い精度でタッチ位置を検出したり、ノイズを抑制した画像を入力したりすることができる。また、一部の画素１に対応して光センサ２を設けることにより、液晶表示装置１０の回路量を削減することができる。【００６１】
また、液晶表示装置１０によれば、１ライン反転駆動を行う液晶表示装置において、１ライン幅の縞状のノイズを含まないスキャン画像を得ることができる。また、偶数行目のすべての画素１に対応して光センサ２を設けることにより、液晶パネル１１と同じ行方向画素数を有し、縞状のノイズを含まないスキャン画像を得ることができる。また、すべての光センサ２を偶数行目の画素１に対応して設けることにより、すべての光センサ２の出力に基づく、縞状のノイズを含まないスキャン画像を得ることができる。【００６２】
なお、図３に示す画素アレイ１７では、偶数行目のすべての画素１に対応して光センサ２を設けることとしたが、これに代えて、図９に示す画素アレイ１８のように、奇数行目のすべての画素１に対応して光センサ２を設けてもよい。この場合、液晶パネルには、光センサ２の配置位置に応じたセンサ読み出し線とセンサリセット線が設けられる。画素アレイ１８を含む液晶パネルを備えた液晶表示装置は、液晶表示装置１０と同様に動作し、同様の効果を奏する。【００６３】
（第２の実施形態）
本発明の第２の実施形態に係る液晶表示装置は、第１の実施形態に係る液晶表示装置１０と同様の構成を有し、同様に動作する。本実施形態に係る液晶表示装置では、光センサ２の配置位置が液晶表示装置１０と異なり、液晶パネルには光センサ２の配置位置に応じたセンサ読み出し線とセンサリセット線が設けられる。以下、本実施形態に係る液晶表示装置に含まれる液晶パネルにおける光センサ２の配置位置について、第１〜第６の例を説明する。【００６４】
図１０は、光センサ２の配置位置の第１の例を示す図である。図１０に示す例では、光センサ２は、画素アレイ６１内の１行目および偶数行目のすべての画素１に対応して設けられている。画素アレイ６１を含む液晶パネルを備えた液晶表示装置では、フレーム反転／１ライン反転駆動が行われる。また、光センサ２からの読み出しは、偶数行目の画素１に対応した光センサ２に対して行われる。このため、１行目の画素１に対応した光センサ２のためにセンサ読み出し線とセンサリセット線を設ける必要はない。【００６５】
図１１は、光センサ２の配置位置の第２の例を示す図である。図１１に示す例では、光センサ２は、画素アレイ６２内の奇数行目のすべての画素１、および、偶数行目の両端の画素１に対応して設けられている。画素アレイ６２を含む液晶パネルを備えた液晶表示装置では、フレーム反転／１ライン反転駆動が行われる。また、光センサ２からの読み出しは、奇数行目の画素１に対応した光センサ２に対して行われる。このため、偶数行目の画素１に対応した光センサ２のためにセンサ読み出し線とセンサリセット線を設ける必要はない。【００６６】
図１２は、光センサ２の配置位置の第３の例を示す図である。図１２に示す例では、光センサ２は、画素アレイ６３内の偶数行目かつ行内で偶数番目の画素１に対応して設けられている。画素アレイ６３を含む液晶パネルを備えた液晶表示装置では、フレーム反転／１ライン反転駆動が行われる。また、光センサ２からの読み出しは、偶数行目かつ行内で偶数番目の画素１に対して行われる。このため、奇数行目の画素１に対応した光センサ２のためにセンサ読み出し線とセンサリセット線を設ける必要はなく、奇数番目の緑色データ信号線ＳＧｊと青色データ信号線ＳＢｊにスイッチ３７、３８を設ける必要はない。【００６７】
図１３は、光センサ２の配置位置の第４の例を示す図である。図１３に示す例では、光センサ２は、画素アレイ６４内の奇数行目かつ行内で奇数番目の画素１に対応して設けられている。画素アレイ６４を含む液晶パネルを備えた液晶表示装置では、フレーム反転／１ライン反転駆動が行われる。また、光センサ２からの読み出しは、奇数行目かつ行内で奇数番目の画素１に対して行われる。このため、偶数行目の画素１に対応した光センサ２のためにセンサ読み出し線とセンサリセット線を設ける必要はなく、偶数番目の緑色データ信号線ＳＧｊと青色データ信号線ＳＢｊにスイッチ３７、３８を設ける必要はない。【００６８】
図１２および図１３に示すように、行方向に１つおきの画素１に対応して光センサ２を設けることにより、液晶表示装置の回路量を削減することができる。なお、行内の画素１に対して、より広い間隔を空けて光センサ２を設けてもよい。例えば、行方向に２つおきの画素に対応して（すなわち、画素３個に１個の割合で）光センサ２を設けてもよい。これにより、液晶表示装置の回路量をさらに削減することができる。【００６９】
図１４は、光センサ２の配置位置の第５の例を示す図である。図１４に示す例では、光センサ２は、画素アレイ６５内の（４ａ−１）行目および４ａ行目（ａは１以上ｍ／４以下の整数）のすべての画素１に対応して設けられている。画素アレイ６５を含む液晶パネルを備えた液晶表示装置では、パネル駆動回路は、画素回路に書き込む電圧の極性をフレームごとおよび２ラインごとに切り替えるフレーム反転／２ライン反転駆動を行い、２行おきの画素１に対応した光センサ２から読み出しを行う。なお、２ライン反転駆動を行う液晶表示装置では、画素アレイ内の（４ａ−３）行目および（４ａ−２）行目のすべての画素１に対応して光センサ２を設けてもよい。【００７０】
画素アレイ６１、６３を含む液晶パネルを備えた液晶表示装置では、偶数行目の画素１内の画素回路には同じ極性の電圧が書き込まれる。また、画素アレイ６２、６４を含む液晶パネルを備えた液晶表示装置では、奇数行目の画素１内の画素回路に同じ極性の電圧が書き込まれ、画素アレイ６５を含む液晶パネルを備えた液晶表示装置では、（４ａ−１）行目および４ａ行目の画素１内の画素回路に同じ極性の電圧が書き込まれる。これらの液晶表示装置では、いずれも、同じ極性の電圧が書き込まれた画素回路を含む画素１に対応した光センサ２から読み出しが行われる。したがって、これらの液晶表示装置によれば、第１の実施形態に係る液晶表示装置１０と同様に、画素回路に書き込む電圧の極性切り替えに起因する縞状のノイズがスキャン画像に発生することを防止することができる。また、タッチ位置の検出精度を高め、入力画像のノイズを抑制し、液晶表示装置の回路量を削減することができる。【００７１】
図１５は、光センサ２の配置位置の第６の例を示す図である。図１５に示す例では、光センサ２は、画素１の位置を市松模様状に２つに分けたときに、そのうちの一方の位置にある画素に対応して設けられている。具体的には、光センサ２は、画素アレイ６６内の奇数行目かつ行内で奇数番目の画素１と、偶数行目かつ行内で偶数行目の画素１とに対応して設けられている。画素アレイ６６を含む液晶パネルを備えた液晶表示装置では、画素回路に書き込む電圧の極性をフレームごと、ラインごとおよび画素ごとに切り替えるフレーム反転／ドット反転駆動が行われる。また、光センサ２からの読み出しは、奇数行目かつ行内で奇数番目の画素１と偶数行目かつ行内で偶数番目の画素１とに対して行われる。【００７２】
画素アレイ６６を含む液晶パネルを備えた液晶表示装置では、奇数行目かつ行内で奇数番目の画素１および偶数行目かつ行内で偶数番目の画素１内の画素回路には同じ極性の電圧が書き込まれ、同じ極性の電圧が書き込まれた画素回路を含む画素１に対応した光センサ２から読み出しが行われる。したがって、この液晶表示装置によれば、第１の実施形態に係る液晶表示装置１０と同様に、画素回路に書き込む電圧の極性切り替えに起因するノイズがスキャン画像に発生することを防止することができる。また、タッチ位置の検出精度を高め、入力画像のノイズを抑制し、液晶表示装置の回路量を削減することができる。【００７３】
また、市松模様の一方の色と同じ位置にあるすべての画素１に対応して光センサ２を設けることにより、液晶パネルの半分の画素数を有し、書き込み電圧の極性切り替えに起因するノイズを含まないスキャン画像を得ることができる。また、すべての光センサ２を市松模様の一方の色と同じ位置にある画素１に対応して設けることにより、すべての光センサ２の出力に基づく、書き込み電圧の極性切り替えに起因するノイズを含まないスキャン画像を得ることができる。【００７４】
なお、本発明の各実施形態に係る液晶表示装置については、光センサ２の配置位置が異なる各種の変形例を構成することができる。一般に、１以上の整数ｑについてｑライン反転駆動を行う（すなわち、画素回路に書き込む電圧の極性をｑラインごとに切り替える）液晶表示装置を構成するためには、ｑ行おきの画素に対応して光センサを設ければよい。より詳細には、画素の行を配置順に従ってｑ行ごとに第１群と第２群に分けたときに、光センサの全部または大部分を第１群の行内の画素に対応して設け、第１群の行内の画素と第２群の行内の画素との間で画素回路に書き込む電圧の極性を切り替え、第１群の行内の画素に対応した光センサから受光量に応じた信号を読み出すパネル駆動回路を設ければよい。【００７５】
また、以上に述べた光センサ２の配置の特徴をその性質に反しない限り任意に組み合わせて新たな配置を求め、求めた位置に光センサ２を配置してもよい。また、対応する光センサ２を有しない画素１には、受光部に光が入射しないように構成された光センサ（以下、遮光センサという）を設けてもよい。液晶パネル内に光センサ２に加えて遮光センサを設け、液晶パネル外で光センサ２の出力と遮光センサの出力を比較することにより、温度補償を行うことができる。また、上述した方法で液晶表示装置以外の表示装置を構成することもできる。これら変形例に係る表示装置（液晶表示装置を含む）によっても、本発明の各実施形態に係る液晶表示装置と同様に、光センサの出力に基づくスキャン画像に、画素回路に書き込む電圧の極性切り替えに起因する縞状のノイズが発生することを防止することができる。
【産業上の利用可能性】
【００７６】
本発明の光センサ付き表示装置は、書き込み電圧の極性切り替えに起因するノイズがスキャン画像に発生することを防止できるという特徴を有するので、液晶表示装置など各種の表示装置に利用することができる。
【図１】
2009125644.tif 000003
【図２】
2009125644.tif 000004
【図３】
2009125644.tif 000005
【図４】
2009125644.tif 000006
【図５】
2009125644.tif 000007
【図６】
2009125644.tif 000008
【図７Ａ】
2009125644.tif 000009
【図７Ｂ】
2009125644.tif 000010
【図８Ａ】
2009125644.tif 000011
【図８Ｂ】
2009125644.tif 000012
【図９】
2009125644.tif 000013
【図１０】
2009125644.tif 000014
【図１１】
2009125644.tif 000015
【図１２】
2009125644.tif 000016
【図１３】
2009125644.tif 000017
【図１４】
2009125644.tif 000018
【図１５】
2009125644.tif 000019
【図１６】
2009125644.tif 000020
【図１７】
2009125644.tif 000021
【手続補正書】
【提出日】平成22年9月7日(2010.9.7)
【手続補正１】
【補正対象書類名】明細書
【補正対象項目名】００５２
【補正方法】変更
【補正の内容】
【００５２】
偶数番目フレーム時間では、奇数番目フレーム時間と同様に、各ライン時間の前半部において、走査信号線Ｇｉの電圧がハイレベルになり、スイッチ３５、３６がオン状態になり、データ信号線ＳＲ１〜ＳＲｎ、ＳＧ１〜ＳＧｎ、ＳＢ１〜ＳＢｎには、走査信号線Ｇｉに接続された３ｎ個の画素回路３に書き込むべき電圧が印加される。一方、偶数番目フレーム時間では、光センサ２からの読み出しは行われない。
【手続補正２】
【補正対象書類名】明細書
【補正対象項目名】００６６
【補正方法】変更
【補正の内容】
【００６６】
図１２は、光センサ２の配置位置の第３の例を示す図である。図１２に示す例では、光センサ２は、画素アレイ６３内の偶数行目かつ行内で偶数番目の画素１に対応して設けられている。画素アレイ６３を含む液晶パネルを備えた液晶表示装置では、フレーム反転／１ライン反転駆動が行われる。また、光センサ２からの読み出しは、偶数行目かつ行内で偶数番目の画素１に対応した光センサ２に対して行われる。このため、奇数行目の画素１に対応した光センサ２のためにセンサ読み出し線とセンサリセット線を設ける必要はなく、奇数番目の緑色データ信号線ＳＧｊと青色データ信号線ＳＢｊにスイッチ３７、３８を設ける必要はない。
【手続補正３】
【補正対象書類名】明細書
【補正対象項目名】００６７
【補正方法】変更
【補正の内容】
【００６７】
図１３は、光センサ２の配置位置の第４の例を示す図である。図１３に示す例では、光センサ２は、画素アレイ６４内の奇数行目かつ行内で奇数番目の画素１に対応して設けられている。画素アレイ６４を含む液晶パネルを備えた液晶表示装置では、フレーム反転／１ライン反転駆動が行われる。また、光センサ２からの読み出しは、奇数行目かつ行内で奇数番目の画素１に対応した光センサ２に対して行われる。このため、偶数行目の画素１に対応した光センサ２のためにセンサ読み出し線とセンサリセット線を設ける必要はなく、偶数番目の緑色データ信号線ＳＧｊと青色データ信号線ＳＢｊにスイッチ３７、３８を設ける必要はない。
【手続補正４】
【補正対象書類名】明細書
【補正対象項目名】００７１
【補正方法】変更
【補正の内容】
【００７１】
図１５は、光センサ２の配置位置の第６の例を示す図である。図１５に示す例では、光センサ２は、画素１の位置を市松模様状に２つに分けたときに、そのうちの一方の位置にある画素に対応して設けられている。具体的には、光センサ２は、画素アレイ６６内の奇数行目かつ行内で奇数番目の画素１と、偶数行目かつ行内で偶数番目の画素１とに対応して設けられている。画素アレイ６６を含む液晶パネルを備えた液晶表示装置では、画素回路に書き込む電圧の極性をフレームごと、ラインごとおよび画素ごとに切り替えるフレーム反転／ドット反転駆動が行われる。また、光センサ２からの読み出しは、奇数行目かつ行内で奇数番目の画素１と偶数行目かつ行内で偶数番目の画素１とに対応した光センサ２に対して行われる。
【国際調査報告】
2009125644.tif 000022
2009125644.tif 000023
2009125644.tif 000024
2009125644.tif 000025